(57)【要約】      （修正有）【課題】構造が単純であり、圧力調理器の蓋に容易にかつ確実に取り付けられること及びそれから取り外されることができる安全キャップ組立体を提供する。【解決手段】安全キャップ組立体１０は、圧力調理器１の調理機器の蓋３に設置されており、下端にフランジ部を有する圧力開放管２０と、上端から下端へと徐々に増加する外径を有し、フランジ部上で圧力開放管に設けられているキャップ固定ナット３０と、メッシュケーシング及び浅い逆Ｖ字型の支持ブリッジを含み、圧力開放管２０の下部に取り付けられている安全キャップユニット４０とを備える。安全キャップ組立体１０は、圧力調理器１の内側に真空環境を作り出すために、閉塞ボールを内側に含む真空アダプタと併設されることができる。【選択図】図１Ａ
2018192265.tif 000002
【特許請求の範囲】
【請求項１】
圧力調理器用の安全キャップ組立体であって、
軸方向に延在する圧力開放流路が中に形成されており、外方に延在するフランジ部が下端に形成されている圧力開放管と、
実質的に、上端から下端へと徐々に増加する外径を有する円錐台形状であり、前記圧力開放管の下部に取り付けられるように構成されたキャップ固定ナットと、
メッシュケーシングと支持ブリッジとから成り、前記圧力開放管の前記下部に取り付けられるように構成された安全キャップユニットと、前記支持ブリッジの中央部は、実質的に前記メッシュケーシングの外側にあり、前記キャップ固定ナット及び前記外方に延在するフランジ部によって保持されている、
を備える安全キャップ組立体。
【請求項２】
前記キャップ固定ナットは、前記圧力開放管の前記下部に螺着される、請求項１に記載の安全キャップ組立体。
【請求項３】
前記支持ブリッジは、支持円板と、中央部が前記支持円板に、両端が前記メッシュケーシングに取り付けられている一対の支持ロッドとから成り、前記支持ロッドは、それの中央部が上方に屈曲されている、請求項１に記載の安全キャップ組立体。
【請求項４】
前記フランジ部には、一対の平行な嵌合溝が形成されており、
前記支持ブリッジは、前記嵌合溝に嵌合される係合部を有する一対の支持ロッドから成り、
圧板は、前記キャップ固定ナットと前記外方に延在するフランジ部との間に設けられている、
請求項１に記載の安全キャップ組立体。
【請求項５】
前記キャップ固定ナットと係合するように構成された取付アダプタを更に備え、前記取付アダプタは、
圧力調理器の蓋に取り付けられるように構成された環状取付ナットと、
前記圧力開放管に形成されている係止溝と係合するように前記環状取付ナットに設けられているスライド可能なロックキーと
を備える、請求項１に記載の安全キャップ組立体。
【請求項６】
前記ロックキーは、係止部と、前記係止部の一端が上方に屈曲されている操作部とを有する実質的にＬ字型の平板であり、前記係止部には、円形ガイド開口部と、前記円形ガイド開口部から連続して開口されている線形ロック開口部とが形成されている、請求項５に記載の安全キャップ組立体。
【請求項７】
前記キャップ固定ナットは、上部ナット要素と下部ナット要素とから成り、各々が、実質的に、上端から下端へと徐々に増加する外径を有する円錐台形状であり、互いに組み合わされると、実質的に、前記上部ナット要素の上端から前記下部ナット要素の下端へと徐々に増加する外径を有する円錐台形状になる、請求項１に記載の安全キャップ組立体。
【請求項８】
前記上部ナット要素は、前記下部ナット要素が下にある状態で前記圧力開放管に螺着される、請求項７に記載の安全キャップ組立体。
【請求項９】
前記圧力開放管に取り付けられるように構成された圧力調整重りを更に備え、前記圧力調整重りには、下部にネジが形成されている中央凹部が形成されている、請求項１に記載の安全キャップ組立体。
【請求項１０】
前記キャップ固定ナットと係合するように構成された取付アダプタを更に備え、前記取付アダプタは、
圧力調理器の蓋に取り付けられるように構成された環状取付ナットと、
前記圧力開放管に形成されている係止溝と係合するように前記環状取付ナットに設けられているスライド可能なロックキーと
を備える、請求項４に記載の安全キャップ組立体。
【請求項１１】
前記ロックキーは、係止部と、前記係止部の一端が上方に屈曲されている操作部とを有する実質的にＬ字型の平板であり、前記係止部には、円形ガイド開口部と、前記円形ガイド開口部から連続して開口されている線形ロック開口部とが形成されている、請求項１０に記載の安全キャップ組立体。
【請求項１２】
真空アダプタが設けられており、前記真空アダプタが、
軸方向に延在する真空流路が中に形成されているメインケーシングと、
前記メインケーシングの上部に形成されており、真空源に接続されるように構成された接続口が設けられている真空制御チャンバと、
中心ボアを有し、前記真空制御チャンバに設けられているブロック座金と、
前記メインケーシングに設けられており、前記真空制御チャンバへと延在する押圧突起を有するツイストノブと、
前記真空制御チャンバに設けられている閉栓ボールと
を備える、請求項１に記載の安全キャップ組立体。
【請求項１３】
鍋と前記鍋を覆う蓋とを備える圧力調理器であって、
安全キャップ組立体と、前記安全キャップ組立体は、
軸方向に延在する圧力開放流路が中に形成されており、外方に延在するフランジ部が下端に形成されている圧力開放管と、
前記圧力開放管の下部に取り付けられており、実質的に、上端から下端へと徐々に増加する外径を有する円錐台形状であるキャップ固定ナットと、
メッシュケーシングと支持ブリッジとから成り、前記圧力開放管の前記下部に取り付けられている安全キャップユニットと
を含む、
前記安全キャップ組立体の前記圧力開放管に取り付けられている圧力調整重りと
を備えた圧力調理器。
【請求項１４】
鍋と前記鍋を覆う蓋とを備える圧力調理器であって、
安全キャップ組立体と、前記安全キャップ組立体は、
軸方向に延在する圧力開放流路が中に形成されており、外方に延在するフランジ部が下端に形成されている圧力開放管と、
前記圧力開放管の下部に取り付けられており、実質的に、上端から下端へと徐々に増加する外径を有する円錐台形状であるキャップ固定ナットと、
メッシュケーシングと支持ブリッジとから成り、前記圧力開放管の前記下部に取り付けられている安全キャップユニットと
を含む、
前記安全キャップ組立体の前記圧力開放管に取り付けられている真空アダプタと、前記真空アダプタは、前記鍋の内側を真空にするために真空源に接続されるように構成されている、
を備えた圧力調理器。
【発明の詳細な説明】
【技術分野】
【０００１】
本発明は、調理機器用の安全キャップに関し、より具体的には、圧力調理器用の安全キャップ組立体と、この安全キャップ組立体を備えた圧力調理器とに関する。
【背景技術】
【０００２】
調理鍋の内側（又は調理室の内側）で食物を調理するために高温高圧スチームを利用する圧力調理器はよく知られており、広く使用されている。残念ながら、圧力調理器の鍋の内側の過度の圧力によって引き起こされる爆発の危険性が常にある。
【０００３】
この危険性を防ぐ１つの方法は、圧力調理器の蓋に設置されている安全弁を覆う安全キャップを使用して、鍋の内側の過度の圧力を開放することである。この安全弁の内部の下端に取り付けられている安全キャップは、食物片が安全弁に入るのを防ぎ、故に、この弁に食物片が目詰まりすることを回避し、この弁に食物片が目詰まりすることで引き起こされる圧力調理器の爆発を防ぐ。
【０００４】
安全キャップは、安全弁（又は圧力開放弁）の目詰まりを防ぐために有効に作用するため、圧力調理器の爆発を防ぎ、圧力調理器の安全かつ確実な使用を提供する。しかし、ユーザは、圧力調理器を洗浄するために蓋から安全キャップを取り外すことがあり、結果として、ユーザが安全キャップを圧力開放弁に付け戻し忘れることや、圧力開放弁への安全キャップの完全な取付をし損なうことが起こり得、これは、最終的に望ましくない結果をもたらす。
【発明の概要】
【０００５】
従って、構造が単純であり、圧力調理器の蓋に容易にかつ確実に取り付けられること及びそれから取り外されることができる安全キャップ組立体を提供することであって、それにより、それが容易に洗浄されることができるように、かつ、安全キャップ組立体が圧力調理器、特に圧力調理器の蓋上、に取り付けられていない場合には、圧力調理器として使用できる状態にならないようにし、圧力調理器の調理に対して高水準の衛生と安全性とを保証することが本発明の１つの目的である。
【０００６】
調理鍋の内側（調理室）が真空にされ、内側にある食材が調理鍋の内側のそのような真空環境で加工される真空調理に使用される安全キャップ組立体を提供することが本発明の別の目的である。
【０００７】
上記目的は、以下を備える安全キャップ組立体のための本発明の特異構造によって達成される：
軸方向に延在する圧力開放流路を中に、外方に延在するフランジ部を下端に有する圧力開放管、
実質的に、上端から下端へと徐々に増加する外径を有する円錐台形状であり、圧力開放管の下部に取り付けられるように構成されたキャップ固定ナット、及び
支持ブリッジを有するメッシュケーシングから成り、圧力開放管の下部に取り付けられるように構成された安全キャップユニット、支持ブリッジの中央部は、実質的にメッシュケーシングの外側にあり、キャップ固定ナットと圧力開放管のフランジ部とによって保持されている。
【０００８】
上で説明したように構造化された安全キャップ組立体は、調理機器の蓋に、特に本発明の取付アダプタを用いて圧力調理器の蓋に、取り付けられる。取付アダプタは、圧力調理器の蓋に固定されており、環状取付ナットと、この環状取付ナットにスライド可能に設置されるスライド式ロックキーとから成る。スライド式ロックキーは、円形ガイド開口部と、この円形ガイド開口部から連続して形成されている線形ロック開口部とを有するＬ字型の長細い板状である。安全キャップ組立体は、そのキャップ固定ナットが取付アダプタの取付ナットと係合した状態で、及び、安全キャップ組立体の圧力開放管がスライド式ロックキーの線形ロック開口部と係合されるようにスライド式ロックキーをスライドすることで、圧力調理器の蓋上で保持される。安全キャップ組立体は、圧力開放管がスライド式ロックキーから係脱されることを可能にするためにスライド式ロックキーを逆方向にスライドすることで、圧力調理器の蓋から容易に取り外される。
【０００９】
上記から見られるように、安全キャップ組立体は、少数の部分を有する単純な構造であるため、それの製造は、容易に行われることができる。安全キャップ組立体は、圧力調理器の蓋に取り付けること及びそれから取り外すことが容易にできるため、それの洗浄は容易に行われることができる。加えて、安全キャップ組立体が圧力調理器の蓋に取り付けられていない限り、圧力調整重りは、安全キャップ組立体に取り付けられることができないため、結果として、圧力調理器は構成されない。従って、ユーザが、メッシュケーシング（又は安全キャップ組立体）である濾過装置を取り付け損なうような、又は、圧力調理器の蓋に濾過装置を完全に取り付けることをし損なうようなアクシデントが防がれることができるため、圧力調理器の爆発も防がれる。
【００１０】
加えて、安全キャップ組立体は、（円錐台形状の）その固定ナットが取付アダプタの取付ナットとぴったりと係合した状態で圧力調理器の蓋に取り付けられているため、圧力調理器の内側は、しっかりと密封され、外側からか隔離される。従って、安全キャップ組立体に（圧力調整重りの代わりに）真空アダプタを接続することで、圧力調理器の内側は真空にされることができ、圧力調理器に入れられた食材に対して真空調理が実行されることができる。真空環境を利用する現在知られている調理方法はパウチを使用する。（調味料とともに）食材がパウチの中に投入され、次いで、このパウチは真空にされて密封され、食材が内側にある状態でこの真空にされたパウチが調理鍋の水の中に入れられる。次いで、真空にされたパウチの中の食材を調理するために水が加熱される。本発明では、真空調理は、パウチを使用することなく、真空にされた圧力調理器の内側で実行される。
【図面の簡単な説明】
【００１１】
【図１Ａ】本発明の一実施形態に係る安全キャップ組立体が蓋に設置されている圧力調理器の概略断面図。
【図１Ｂ】本発明の別の実施形態に係る安全キャップ組立体の概略断面図。
【図２】断面で例示されている、本発明の安全キャップ組立体の圧力開放管を示す図。
【図３】断面で例示されている、キャップ固定ナットと、座金と、安全キャップのメッシュケーシングに取り付けられている支持ブリッジとを示す図。
【図４】断面で例示されている、キャップ固定ナット及び支持ブリッジが取り付けられた状態の圧力開放管を示す図。
【図５】本発明に係る安全キャップユニットの上面図。
【図６】本発明に係る、平底メッシュケーシングを有する安全キャップユニットの側面図。
【図７】本発明に係る、ドーム型メッシュケーシングを有する安全キャップユニットの側面図。
【図８Ａ】本発明の別の実施形態に係る、圧力調理器用の安全キャップ組立体の断面部分図。
【図８Ｂ】図８Ａの安全キャップ組立体から切り離された圧力開放管の断面部分図。
【図９】図８Ａの安全キャップ組立体の分解断面図。
【図９Ａ】いくつかの要素が図９の構造とは異なって配列されている安全キャップ組立体の分解断面図。
【図１０】圧力調理器の蓋に安全キャップ組立体を取り付けるための取付アダプタの断面図。
【図１１】圧力調理器の蓋に安全キャップ組立体を取り付けるための別のタイプの取付アダプタの断面図。
【図１２Ａ】取付アダプタのスライド式ロックキーの拡大側面図。
【図１２Ｂ】取付アダプタのスライド式ロックキーの上面図。
【図１３Ａ】圧力調理器の蓋に安全キャップ組立体を取り付ける方法を例示する図。
【図１３Ｂ】圧力調理器の蓋に安全キャップ組立体を取り付ける方法を例示する図。
【図１４Ａ】安全キャップ組立体に圧力調整重りを取り付ける方法を例示する図。
【図１４Ｂ】安全キャップ組立体に圧力調整重りを取り付ける方法を例示する図。
【図１５】本発明に係る別の安全キャップユニットの上面図。
【図１６】図１５の安全キャップユニットの側面図。
【図１７】図１５及び１６の安全キャップユニットのメッシュケーシングの支持ロッドと、固定リング、キャップ固定ナット、載置板、及び圧力開放管の拡大断面図。
【図１８】図１５及び１６の安全キャップユニットの支持ロッドのフランジ部及び係合部を例示する、圧力開放管の上面図。
【図１９】本発明の安全キャップ組立体に取り付けられることとなる真空アダプタの断面図。
【図２０Ａ】真空アダプタの動作の方法を例示する図。
【図２０Ｂ】真空アダプタの動作の方法を例示する図。
【発明を実施するための形態】
【００１２】
圧力調理器のような調理機器用の本発明の安全キャップ組立体は、図１Ａから見られるように、圧力調理器１の蓋に設置されるように構成される。圧力調理器１は、鍋２と、この鍋２を覆う蓋３とから成り、安全キャップ組立体１０は、この蓋３に形成されている取付開口部に設置される。
【００１３】
本発明の安全キャップ組立体が通常使用される圧力調理器１（しかし、これに限定されるわけではない）は、ステンレス鋼製であり、１００ＰＳＩ（ポンド・平方インチ）の圧力に耐え、最大１０−８Ｐａ（パスカル）まで真空にされることができるものであり、ここで、深さは２０−２４インチであり、直径は２０−３０インチであり、よって、容量は５０−６４ガロンである。
【００１４】
図１Ｂから見られるように、安全キャップ組立体１０は、圧力開放管２０と、キャップ固定ナット３０と、安全キャップユニット４０とから成る。
【００１５】
図２に示されるように、圧力開放管２０は、例えば、ステンレス鋼製の中空円筒管であり、圧力調理器の内圧を開放することができるように１つの端（上端）及び別の端（下端）で開口している軸方向に延在する圧力開放流路２０ａが中に形成されている。圧力開放管２０は、その上部にある接続部２０Ａと、その下部にある固定部２０Ｃと、その中間部にある又は接続部２０Ａと固定部２０Ｃとの間にある中間部２０Ｂとから成る。接続部２０Ａは、中間部２０Ｂよりわずかに大きい外径を有し、圧力開放重り（図示せず）がそれにネジ結合されることができるように外部がネジ切りされている。固定部２０Ｃは、接続部２０Ａと同じかそれよりわずかに大きい外径を有し、キャップ固定ナット３０がそれと螺合されるように外部がネジ切りされている。固定部２０Ｃには、支持フランジ部２２がその下端に形成されており、このフランジ部２２は、固定部２０Ｃより大きい直径を有するように外方に延在する。
【００１６】
圧力開放管２０は、係止部２０Ｄを更に含む。係止部２０Ｄは、中間部２０Ｂと固定部２０Ｃとの間に設けられており、係止溝２０Ｄａと、外方に延在する係止フランジ部２０Ｄｂとから成る。係止フランジ部２０Ｄｂ及び係止溝２０Ｄａは、係止フランジ部２０Ｄｂの外径が接続部２０Ａのもの及び固定部２０Ｃのものと同じかそれよりわずかに小さくなり、係止溝２０Ｄａの外径が係止フランジ部２０Ｄｂのものより小さくなるように形成されている。
【００１７】
図３から見られるように、キャップ固定ナット３０は、実質的に、横から見たときに台形であるような円錐台形状のナットである。キャップ固定ナット３０には、１つの端（上端）及び別の端（下端）で開口している軸方向に延在する中心ボア３０ａが中に形成されている。キャップ固定ナット３０の中心ボア３０ａの直径は、圧力開放管２０の固定部２０Ｃの外径のものと実質的に同じである。
【００１８】
この中心ボア３０ａにはネジ山が形成されており、それにより、この内部形成されているネジ山は、圧力開放管２０の固定部２０Ｃの外部形成されているネジ山（図２参照）と係合し、キャップ固定ナット３０は、圧力開放管２０のフランジ部２２上で圧力開放管２０の下部に螺合される。
【００１９】
キャップ固定ナット３０は、好ましくは、例えば、シリコン（又はある程度の弾力性がある素材、そしてこれもステンレス鋼製であることができる）から作られている。キャップ固定ナット３０は、上部にある、垂直方向に一貫した外径を有する円筒部３０Ａと、この円筒部３０Ａの下端からキャップ固定ナット３０の下端に向かって延在するスカート部３０Ｂとから成る。故に、キャップ固定ナット３０は、全体として、円錐台形状をとる。
【００２０】
故に、キャップ固定ナット３０のスカート部３０Ｂは、その底面に対して約６０度である傾斜した円周外面を有する。故に、スカート部３０Ｂは、上端が最小であり下端が最大である外径を有する。キャップ固定ナット３０の高さは、圧力開放管２０の固定部２０ｃのものと実質的に同じである。キャップ固定ナット３０のスカート部３０Ｂの底部又は下端の外径は、圧力開放管２０の支持フランジ部２２の外径のものと実質的に同じである。
【００２１】
図８Ａ〜９Ａに示される圧力開放管及びキャップ固定ナットは、図２〜４に示されているものとはわずかに異なる構成をとる。図８Ａ（８Ｂ）の圧力開放管２０の固定部２０Ｃは、下部２０Ｃｂがネジ切りされず、上部２０Ｃａの外部がネジ切りされるように、垂直方向の観点から一部ネジ切りされている。
【００２２】
図９から見られるように、キャップ固定ナット３０は、上部ナット要素３４と下部ナット要素３６という２つの要素から成る。上部ナット要素３４及び下部ナット要素３６は、それぞれ、実質的に円錐台形状をとり、横から見たときに、上部ナット要素及び下部ナット要素の各々の外径が上端から下端へと徐々に増加する台形をとる。互いに組み合わせられると、これらの上部ナット要素及び下部ナット要素によって形成されるキャップ固定ナット３０は、横から見たときに、キャップ固定ナット３０の外径が、全体として、上部ナット要素３４の上端から下部ナット要素３６の下端へと徐々に増加するような台形である円錐台形状を全体としてとる。換言すると、上部ナット要素３４の底部の直径は、下部ナット要素３６の頂部の直径と同じであるため、それらの円周面３４Ａ及び３６Ａは、上部ナット要素３４が下部ナット要素３６の上になるように上部ナット要素３４及び下部ナット要素３６が組み合わせられると、単一の同一平面の表面を作る。
【００２３】
上部ナット要素３４及び下部ナット要素３６には、１つの端（上端）及び別の端（下端）で開口している軸方向に延在する中心ボア３４ａ及び３６ａが形成されている。これらの中心ボアの直径は、圧力開放管２０の固定部２０Ｃの外径のものと実質的に同じである。
【００２４】
上部ナット要素３４の中心ボア３４ａはネジ切りされており、この雌ネジは、圧力開放管２０の固定部２０Ｃの上部２０Ｃａの外部形成されているネジ山と係合する。下部ナット要素３６の中心ボア３６ａは、この下部ナット要素３６が下部２０Ｃｂにぴったりと螺嵌されるように、圧力開放管２０の固定部２０Ｃの下部２０Ｃｂの外径のものと直径が実質的に同じである。故に、上部ナット要素３４及び下部ナット要素３６を備えるキャップ固定ナット３０は、図８Ａから見られるように、下部ナット要素３６が下にある状態で上部ナット要素３４が圧力開放管２０の上部２０Ｃａに螺合されるとき、そのフランジ部２２上で圧力開放管２０の固定部２０Ｃに固定される。
【００２５】
上部ナット要素３４は、例えば、ステンレス鋼製であり、下部ナット要素３６は、例えば、シリコン又はある程度の弾力性がある素材から作られている。
【００２６】
上部ナット要素３４及び下部ナット要素３６の傾斜した円周面は、底面に対して約６０度をなす。上部ナット要素３４及び下部ナット要素３６を合わせた高さは、圧力開放管２０の固定部２０ｃのものと実質的に同じである。下部ナット要素３６の底部又は下端の外径は、圧力開放管２０の支持フランジ部２２の外径のものと実質的に同じである（又はそれより小さい）。
【００２７】
安全キャップユニット４０は、図５及び６から見られるように、メッシュケーシング４２と、内側に空きスペースのある、このメッシュケーシング４２に取り付けられている支持ブリッジ４４とから成る。メッシュケーシング４２は、金網（例えば、ＳＳ３０４金網）製であり、そしてそれは、平底であるため、比較的浅いケーシングである。メッシュケーシングの各開口部（メッシュ）のサイズは、圧力開放管２０の、軸方向に延在する圧力開放流路２０ａの内径より小さい。補強円形フレーム４２Ａが、メッシュケーシング４２の上部周縁に固定されている。
【００２８】
このメッシュケーシング４２に、支持ブリッジ４４が取り付けられている。図５及び６に示されるように、支持ブリッジ４４は、支持円板４４Ａと一対の支持ロッド４４Ｂとの組合せである。換言すると、図５から見られるように、支持ブリッジ４４は、支持円板４４Ａに取り付けられている一対の支持ロッド４４Ｂから成る。支持ロッド４４Ｂは、図６から見られるように、横から見たときに、実質的に浅い逆Ｖ字型をとるようにそれらの中央部で上方に屈曲されており、それらの屈曲した中央部には、例えば、それらの中央部で溶接することで、支持円板４４Ａが取り付けられている。中央部は、支持円板４４Ａの下面であることができる。屈曲した支持ロッド４４Ｂの各々の両端は、例えば、溶接によってメッシュケーシング４２に固定されている円形フレーム４２Ａに、支持ブリッジ４４がメッシュケーシング４２又はその円形フレーム４２Ａを実質的に直径方向にブリッジするように取り付けられている。結果として、上方に屈曲した支持ロッド４４Ｂの中央部に取り付けられている少なくとも支持円板４４Ａ又は支持ブリッジ４４は、メッシュケーシング４２の上縁レベル若しくはそれより上に又はメッシュケーシング４２の外側に位置している。
【００２９】
示される実施形態では、一対の支持ロッド４４Ｂは、図５から見られるように、上から見たときに対称的なＣ字型である。しかしながら、それらは、直線でかつ互いに対して平行であることができる。
【００３０】
圧力開放管２０の接続部２０Ａ、中間部２０Ｂ、及び固定部２０Ｃの外径よりは直径が大きいが、圧力開放管２０のフランジ部２２の外径よりは直径が小さい取付孔４４Ａａが支持円板４４Ａに開口されている。
【００３１】
安全キャップユニット４０のメッシュケーシング４２は、図７に示されるように、ドーム型をとることができる。このドーム型メッシュケーシング４２でも同じく、支持ロッド４４Ｂは、メッシュケーシング４２又はその円形フレーム４２Ａを実質的に直径方向にブリッジし、屈曲した支持ロッド４４Ｂの中央部に取り付けられている少なくとも支持円板４４Ａ又は支持ブリッジ４４は、メッシュケーシング４２の上縁レベル若しくはそれより上に又はメッシュケーシング４２の外側に位置している。
【００３２】
上記構造の場合、圧力開放管２０又はその接続部２０Ａは、支持円板４４Ａの取付孔４４Ａａと位置合わせされ、それに挿入され、支持円板４４Ａが、圧力開放管２０のフランジ部２２上に置かれる。ガスケット５０（図３参照）は、（オプションで）支持円板４４Ａ上に置かれる。次に、キャップ固定ナット３０は、それが圧力開放管２０の支持フランジ部２２上で支持ブリッジ４４の支持円板４４Ａを（使用されている場合には、その間にガスケット５０を伴って）保持するように、圧力開放管２０の固定部２０Ｃに螺着される。結果として、図４から見られるように、支持円板４４Ａは、キャップ固定ナット３０のスカート部３０Ｂの底部と、圧力開放管２０の支持フランジ部２２との間に保持又は挟まれることで圧力開放管２０に固定され、故に、メッシュケーシング４２は、キャップ固定ナット３０によって固定されることで圧力開放管２０に又は圧力開放管２０の下部に取り付けられる。
【００３３】
図８Ａ、８Ｂ、及び９の構造では、ガスケット５２が用いられている。例えば、ステンレス鋼製のガスケット５２には、その外縁に沿ってリング状の溝５２Ａが形成されており、Ｏリング５３がその中に嵌合されている。このＯリングが備わったガスケット５２は、圧力調理器の蓋とより密着することを確実にすることができる。また、２つのガスケット（図示せず）、シリコンガスケット、及びステンレス鋼ガスケット（図示せず）が、単一のガスケット５２の代わりとして使用されることができる。加えて、それは、図９Ａから見られるように、支持円板４４Ａのための密封とキャップ固定ナット３０の安定した設置とを提供するためにＯリング５３がガスケット５２によって押圧保持されるように構造化されることができる。
【００３４】
故に、圧力開放管２０と、キャップ固定ナット３０と、安全キャップユニット４０とから成る上で説明した安全キャップ組立体１０は、圧力調理器の蓋に取り付けられ、より具体的には、以下で説明するような方法で、圧力調理器の蓋に設置されている安全キャップ取付アダプタに取り付けられる。
【００３５】
安全キャップ取付アダプタ６０は、図１０から見られるように、環状取付ナット６２と、固定リング６４と、スライド式ロックキー６６とから成る。環状取付ナット６２及び固定リング６４は、例えば、金属、アルミニウム製、等であり、シリコン、ゴム、等のある程度の弾力性がある素材で作られることもできる。環状取付ナット６２は、円筒本体部６２Ａと鍔部６２Ｂとを含む。円筒本体部６２Ａは、その内側に、キャップ固定ナット３０（のスカート部３０Ｂ）を受け入れ、それと組み合わさることができる円錐台形状である受容部６０Ｃを有する。円筒本体部６２Ａは、圧力開放管２０のための垂直貫通孔６２ａに加えて、水平方向に延在する係止溝６２Ａｂが中に形成されているガイド突起６２Ａａをその上に有し、ロックキー６６は、この係止溝６２Ａｂにスライド可能に挿入される。
【００３６】
図１０の環状取付ナット６２は、ガイド突起６２Ａａを含む、環状取付ナット６２の円筒本体部６２Ａの上部が蓋３の外側にくるように、円筒本体部６２Ａの外周面が蓋３の取付開口部の内周面と密着するように、及び鍔部６２Ｂの上面が蓋３の取付開口部を取り囲んでいる領域の下面と密着するように、下方から、圧力調理器の蓋３の略中央に開口されている取付開口部へと挿入される。固定リング６４は、通常、環状取付ナット６２の円筒本体部６２Ａの外面にネジ止めされる。故に、取付アダプタ６０は、圧力調理器の蓋３に確実に取り付けられる。
【００３７】
図１１は、別のタイプの安全キャップ取付アダプタ７０を示す。図１１の安全キャップ取付アダプタ７０は、環状取付ナット７２とスライド式ロックキー７６とから成る。環状取付ナット７２は、ある程度の弾力性がある素材から作られており、それは、円筒本体部７２Ａと、それぞれ円筒本体部７２Ａの上端及び下端から外方に延在する上部フランジ部７２Ｂ及び下部フランジ部７２Ｃとを含む。円筒本体部７２Ａは、圧力開放管のための垂直貫通孔７２ａに加えて、係止溝７２Ａｂが中に形成されているガイド突起７２Ａａをその上に有し、この係止溝７２Ａｂは、水平方向に延在し、ロックキー７６は、この係止溝７２Ａｂにスライド可能に挿入される。円筒本体部７２Ａは、その内側に、キャップ固定ナット３０（のスカート部３０Ｂ）を受け入れ、それと組み合わさることができるような円錐台形状である受容部７２Ｄを有する。
【００３８】
図１１の環状取付ナット７２は、ガイド突起７２Ａａが蓋３の外側にきて、円筒本体部７２Ａの外周面が蓋３の取付開口部の内周面と密着し、更に、上部フランジ部７２Ｂの下面及び下部フランジ部７２Ｃの上面もそれぞれ蓋３の取付開口部を取り囲んでいる円周領域の上面及び下面と密着するように、上部フランジ部７２Ｂ及び下部フランジ部７２Ｃの弾力性を利用して、上方又は下方から、圧力調理器の蓋３の略中央に開口されている取付開口部へと押される。故に、取付アダプタ７０は、その弾力性を利用して蓋３に確実に取り付けられる。
【００３９】
構造が同じである、上で説明したスライド式ロックキー６６，７６は、図１２Ａ，１２Ｂから見られるように、通常、金属製であり、（横から見たときに）Ｌ字型の板状であり、係止部６６Ａ，７６Ａと、これら係止部６６Ａ，７６Ａの一端が上方に屈曲されている操作部６６Ｂ，７６Ｂとから成る。
【００４０】
係止部６６Ａ，７６Ａには、円形ガイド開口部６６Ａａ，７６Ａａと、これら係止部６６Ａ，７６Ａの縦方向に延在するようにこの円形ガイド開口部６６Ａａ，７６Ａａから連続して開口されている線形ロック開口部６６Ａｂ，７６Ａｂとが中に形成されている。円形ガイド開口部６６Ａａ，７６Ａａは、圧力開放管２０の接続部２０Ａ及び係止フランジ部２０Ｄｂの外径より大きい直径を有し、線形ロック開口部６６Ａｂ，７６Ａｂは、圧力開放管２０の係止フランジ部２０Ｄｂの直径より小さく、係止溝２０Ｄａの外径よりわずかに大きい幅を有する。故に、構造化されたスライド式ロックキー６６，７６は、上で説明したように、環状取付ナット６２，７２のガイド突起６２Ａａ，７２Ａａの係止溝６２Ａｂ，７２Ａｂにスライド可能に挿入される。スライド式ロックキー６６，７６には、先端が係止部６６Ａ，７６Ａの上面上にあり、胴部の下端が係止部６６Ａ，７６Ａの下面から突出するようなストッパーピン６８が係止部６６Ａ，７６Ａの終端に設けられることができる。ストッパーピン６８は、スライド式ロックキー６６，７６が取付ナット６２，７２から滑り落ちるのを防ぐためのものである。
【００４１】
上で説明した安全キャップ組立体を使用する際、係止溝６２Ａｂ，７２Ａｂにあるスライド式ロックキー６６，７６は、円形ガイド開口部６６Ａａ，７６Ａａが環状取付ナット６２，７２の受容部６０Ｃ，７２Ｄの上方にありかつそれと位置合わせされている開放位置に配置されている（図１３）。１３Ａ〜１４Ｂは環状取付ナット６２を例示しているが、環状取付ナット７２は、環状取付ナット６２と同じように使用される。次いで、安全キャップ組立体１０の圧力開放管２０を、圧力調理器の蓋３の下に位置させる。次に、圧力開放管２０の接続部２０Ａは、環状取付ナット６２，７２の受容部６０Ｃ，７２Ｄ（の中心）と位置合わせされ、圧力開放管２０の接続部２０Ａ及び中間部２０Ｂが環状取付ナット６２，７２を貫通して、蓋３の上に及び外側にくるように、及び、キャップ固定ナット３０が環状取付ナット６２，７２の受容部６０Ｃ，７２Ｄの内側にきて、その外面が受容部６２Ｃ，７２Ｄの内面と表面接触するように、上方に又は環状取付ナット６２，７２に向かって押される。
【００４２】
その後、図１４Ａ及び１４Ｂから見られるように、圧力調整重りが圧力開放管２０に取り付けられる。圧力調整重り８０は、示される例では、通常、金属製であり、それは、上端に係合ボス８２が形成されている中央凹部８０Ａを有する。中央凹部８０Ａには、圧力開放管２０の接続部２０Ａの雄ネジと係合することができる雌ネジ８４が下部に形成されている。このネジ８４より上の部分の内径は、雌ネジ８４が形成されている部分の内径より大きく作られている。図１４Ａ及び１４Ｂから見られるように、圧力調整重り８０は、その底部の半径が、圧力開放管２０の中心とスライド式ロックキー６６，７６の操作部６６Ｂ，７６Ｂとの間の距離（と少なくとも同じ又は）より大きくなる（又は、円形ガイド開口部６６Ａａ，７６Ａａの中心とスライド式ロックキー６６，７６の操作部６６Ｂ，７６Ｂとの間の距離より大きくなる）ようにサイズ決定される。スライド式ロックキー６６，７６の操作部６６Ｂ，７６Ｂの高さは、少なくとも、係止溝２０Ｄａと、圧力開放管２０の接続部２０Ａの上端との間の距離と同じ高さである。
【００４３】
結果として、スライド式ロックキー６６，７６が図１３Ａ又は１４Ａに示される開放位置にあるとき、圧力調整重り８０は、その下部が、ロックキー６６，７６の操作部６６Ｂ，７６Ｂの上端と接触することとなり、圧力開放管２０上にネジ止めされることができない。
【００４４】
次いで、スライド式ロックキー６６，７６は、ガイド溝６６Ａｂ，７６Ａｂ（図１３Ｂ，１４Ｂ参照）の末端が圧力開放管２０の係止溝２０Ｄａ（図２参照）と接触するまで（又はスライド式ロックキーがこれ以上引かれることができなくなるまで）又は少なくとも係止溝２０Ｄａがガイド溝６６Ａｂ，７６Ａｂ内にくるまで、操作部６６Ｂ，７６Ｂを用いて引かれる（又は図１３Ａ，１４Ａの左に動かされる）。結果として、安全キャップ組立体１０は、圧力開放管２０の係止部２０Ｄと係合されるスライド式ロックキー６６，７６によって蓋３に係止及び固定され、安全キャップ組立体１０は、スライド式ロックキー６６，７６のガイド溝６６Ａｂ，７６Ａｂの幅が圧力開放管２０の係止フランジ部２０Ｄｂの直径より小さいため、スライド式ロックキー６６，７６の係止部６６Ａ，７６Ａによって圧力開放管２０の係止フランジ部２０Ｄｂで下方から保持又は支持されていることにより抜け落ちない。加えて、図１４Ｂから見られるように、スライド式ロックキー６６，７６の操作部６６Ｂ，７６Ｂは圧力調整重り８０と接触しておらず、故にそれによって妨げられないため、圧力調整重り８０の係合ボス８２が圧力開放管２０の接続部２０Ａの圧力開放流路２０ａの内側にくるように圧力調整重り８０が降下させられて（螺締されて）圧力開放管２０上に配置されることがこの時点で可能になる。圧力調整重り８０が降下させられるとき、それは、最初に雌ネジ８４が接続部２０Ａの雄ネジと係合し、次にこの雄ネジから係脱して、接続部２０Ａを貫通し、接続部２０Ａが、圧力制御重り８０の中央凹部８０Ａのネジ８４より上の部分に入るように、回転させられる。従って、圧力調理器が使用中であるとき、圧力制御重り８０は、圧力開放管２０の圧力開放流路２０ａを通して開放される圧力（スチーム）により、係合ボス８２を中心として揺動することができる。故に、一旦圧力調整重り８０が圧力開放管２０上に配置されると、圧力調整重り８０が逆方向に回転させられ、中央凹部８０Ａ中の雌ネジ８４が形成されている部分を螺合式に貫通するまで、圧力開放管２０から取り外すことができない。従って、調理が完了した後に圧力調理器の蓋が圧力調理器の鍋から切り離されるときに、（例えば、数キログラムの重さの）圧力調整重り８０がその蓋から不注意に落下するようなアクシデントは回避されることができる。
【００４５】
上の係止状態では、圧力開放管２０の係止フランジ部２０Ｄｂは、スライド式ロックキー６６，７６によって（特にそれの係止部６６Ａ，７６Ａによって）下方から保持され、円錐台形状のキャップ固定ナット３０は、安全キャップ組立体のキャップ固定ナット３０の円錐台形状の部分の外面が、環状取付ナット６２，７２の内面とぴったりと組み合わさり、その傾斜した円周外面でそれと密に表面接触するように、環状取付ナット６２，７２の円錐台形状の受容部６０Ｃ，７２Ｄの内側にある。故に、圧力調理器はこの時点で使用できる状態になる。
【００４６】
上で説明した圧力調整重りの代わりに、圧力開放管２０の接続部２０Ａ上に、（米国特許第８，８６９，８２９号に記載の）圧縮制御ユニットがネジで取り付けられ、それにより、圧力調理器は使用されることができる。
【００４７】
調理プロセスが進むにつれ、圧力調理器の鍋の内側の圧力は高まり、上方に、又は、円錐台形状の傾斜した面を有する環状取付ナット６２，７２に向かって安全キャップ組立体１０（又はキャップ固定ナット３０）を押す。結果として、キャップ固定ナット３０は、高まった圧力により、それらの傾斜した面で環状取付ナット６２，７２と確実に密着して、圧力調理器のための良好かつ確実な密封を形成する。シリコン又は弾力性がある素材から形成されているキャップ固定ナット３０を用いることで、ナット３０（又は上部ナット要素３４）は、取付ナット６２，７２に密着することができ、良好な密封効果をもたらす。
【００４８】
図１５〜１８は、本発明の別のタイプの安全キャップ組立体を示す。この安全キャップ組立体では、安全キャップユニットの支持ブリッジは、圧力開放管に直接取り付けられている一対の支持ロッドから成る（ここで、支持ブリッジは、上で説明した構造で使用される支持円板４４Ａを含まない）。この安全キャップ組立体の圧力開放管１２０は、圧力開放管２０にあるように、その上部にある接続部１２０Ａと、その下部にある（上部固定部１２０Ｃａ及び下部固定部１２０Ｃｂを備える）固定部１２０Ｃと、その中間部にある又は接続部２０Ａと固定部１２０Ｃとの間にある中間部１２０Ｂとから成る。それには、圧力開放流路１２０ａに加えて、スライド式ロックキー６６，７６と係合するために、上で説明した圧力開放管２０にあるような係止部を形成する係止溝１２０Ｄａ及び外方に延在する係止フランジ部１２０Ｄｂも形成されている。
【００４９】
より具体的には、圧力開放管１２０のフランジ部１２２には、図１７及び１８から見られるように、その上面上に一対の嵌合溝１２４が形成されている。この溝１２４は、圧力開放管１２０の固定部１２０Ｃがそれらの間にくるように形成されており、それにより、嵌合溝１２４は、円形であるフランジ部１２２の直径と平行に延在しており、それらは互いに対しても並行である。溝１２４は、支持ロッド１４４Ｂ（又はそれらの中央係合部１４４Ｂａ）がその中にぴったり嵌合するように形成されている。溝１２４の各々の幅は、断面が通常円形である支持ロッド１４４Ｂ（又は係合部１４４Ｂａ）の各々の直径と実質的に同じであり、溝１２４の各々の奥行は、支持ロッド１４４Ｂ（又は係合部１４４Ｂａ）の半径の長さと実質的に同じである。係合部１４４Ｂａは、それらの嵌合溝１２４に溶接されることができる。溝１２４の底部は、曲線的であることができる。
【００５０】
支持ロッド１４４Ｂから成る支持ブリッジは、図１６から見られるように、横から見たときに浅い逆Ｖ字型をとるようにそれらの中央係合部１４４Ｂａが上方に屈曲されており、屈曲した支持ロッド１４４Ｂの係合部１４４Ｂａは、メッシュケーシング１４２の上縁レベルに又はそれより上に位置するか、メッシュケーシング１４２の外側に位置する。支持ロッド１４４Ｂの各々の両端は、例えば溶接によってメッシュケーシング１４２に固定されている円形フレーム１４２Ａに取り付けられている。係合部１４４Ｂａは、直線でかつ互いに対して平行であることができ、図１８から見られるように、長さが嵌合溝１２４と実質的に同じである。支持ロッド１４４Ｂの各々は、図１５から見られるように、上から見たときにＣ字型である。故に、各支持ロッド１４４Ｂは、支持ロッド１４４Ｂの中間にある直線の係合部１４Ｂａにより、横から見たときには若干角度のある扁平な逆Ｖ字型であり（図１６及び１７）、上から見たときには若干角度のあるＣ字型である（図１５及び１８）。図１５では、参照番号１４４Ｂｂは、一対のＣ字型の支持ロッド１４４Ｂを接続している補強ロッドである。
【００５１】
結果として、支持ロッド１４４Ｂの係合部１４４Ｂａは、支持ロッド１４４Ｂの直線な中央の係合部１４４Ｂａが嵌合溝１２４の内側にある状態で安全キャップユニット１４０が圧力開放管１２０に取り付けられるように、嵌合溝１２４にぴったりと嵌合される。溝１２４は、支持ロッド１４４Ｂの係合部１４４Ｂａが嵌合溝１２４の内側に配置される限り、鉛直断面が矩形であることができる。
【００５２】
安全キャップ組立体は、通常金属製であり、形状が円形であり、直径方向にフランジ部１２２と実質的に同じ又はそれより大きい圧板１５０を更に含む。圧板１５０は、圧力開放管１２０の固定部１２０Ｃの外径よりわずかに大きい中央孔１５２を有する。
【００５３】
安全キャップユニット１４０は依然として、キャップ固定ナット１６０と、内部がネジ切りされている固定リング１７０とを更に含む。
【００５４】
キャップ固定ナット１６０は、キャップ固定ナット３０と実質的に同じである。故に、これは、円錐台形状のナットであり、横から見たときに台形である。キャップ固定ナット１６０には、１つの端（上端）及び別の端（下端）で開口している軸方向に延在する中心ボア１６０ａが中に形成されている。キャップ固定ナット１６０の中心ボア１６０ａの直径は、圧力開放管１２０の固定部１２０Ｃの外径のものと実質的に同じである。
【００５５】
キャップ固定ナット１６０は、好ましくは、キャップ固定ナット１６０が、圧力開放管１２０の固定部１２０Ｃにきつく嵌合するように、例えば、シリコン（又はある程度の弾力性がある素材）でできている。キャップ固定ナット１６０は、同じく、ステンレス鋼製であることができる。キャップ固定ナット１６０の直径は、その上端から底部に徐々に増加し、故に、全体として、円錐台形状をとる。
【００５６】
故に、キャップ固定ナット１６０は、その底面に対して約６０度である傾斜した円周外面を有する。キャップ固定ナット１６０の高さは、圧力開放管１２０の固定部１２０Ｃの下部１２０Ｃｂのものと実質的に同じである。キャップ固定ナット１６０の底部又は下端の外径は、圧板１５０の外径と実質的に同じであるか又はそれより小さい。故に、キャップ固定ナット１６０は、圧板１５０上に置かれることができる。
【００５７】
固定リング１７０は、固定部１２０Ｃの上部固定部１２０Ｃａと螺合されるように内部がネジ切りされており、ここで上部固定部１２０Ｃａは外部がネジ切りされている。
【００５８】
上記構造では、安全キャップユニット１４０は、その支持ロッド１４４Ｂ（係合部１４４Ｂａ）が固定溝１２４中に配置されて（図１７及び１８の矢印参照）、固定溝１２４と係合した状態で、圧力開放管１２０に取り付けられている。次いで、固定平板１５０は、フランジ部１２２と、固定溝１２４中にある支持ロッド１４４Ｂの係合部１４４Ｂａとの両方を覆うように、フランジ部１２２上に置かれる（図１７の矢印参照）。次に、固定平板１５０の底面が支持ロッド１４４Ｂの係合部１４４Ｂａの上面と接触するように、切頭キャップ固定ナット１６０が固定平板１５０上に置かれる。最後に、固定リング１７０が、圧力開放管１２０の固定部１２０Ｃの上部固定部１２０Ｃａにネジ止めされ、固締される。結果として、安全キャップユニット１４０は、その支持ロッド１４４Ｂが、フランジ部１２２に形成されている嵌合溝１２４内に係合した状態で圧力開放管１２０上に確実に取り付けられて、安全キャップ組立体を形成し、安全キャップユニット１４０を有する圧力開放管１２０は、上で説明した安全キャップ組立体にあるのと同じように（安全キャップ取付アダプタ６０，７０、スライド式ロックキー６６，７６、等を使用して）圧力調理器の蓋に取り付けられる。
【００５９】
更に、本発明では、圧力調整重り８０（又は圧力制御ユニット）の代わりに、真空アダプタが、安全キャップ組立体の圧力開放管２０に取り付けられることができる。
【００６０】
図１９から見られるように、真空アダプタ１００は、軸方向に延在する真空流路１０２ａと真空制御チャンバ１０４とが中に形成されている円筒状のメインケーシング１０２から成る。軸方向に延在する真空流路１０２ａは、圧力開放管２０（１２０）の接続部２０Ａ（１２０Ａ）の内径と実質的に同じ直径を有し、それには、接続部２０Ａ（１２０Ａ）にネジ止めされることができるように雌ネジが下部に形成されている。真空制御チャンバ１０４は、メインケーシング１０２の上部にあり、その底部が真空流路１０２ａと連通している。円筒状のメインケーシング１０２には、頂壁にツイストノブ１０４Ａが設けられている。ツイストノブ１０４Ａは、その下面に押圧突起１０４Ａａが形成されており、この押圧突起１０４Ａａは、真空チャンバ１０４の内側に延在するように設けられている。真空チャンバ１０４は、側壁に接続口１０４Ｂを有しているため、真空チャンバ１０４は、この接続口１０４Ｂにおいて真空源（真空ポンプ）１１０に接続可能である。真空制御チャンバ１０４の内側には、通常ステンレス鋼製の閉栓ボール１０６が設けられており、それは、真空流路１０２ａの直径より大きな直径を有する。真空チャンバ１０４の接続口１０４Ｂは、閉栓ボール１０６が真空チャンバ１０４から抜け出ないように形成されている。真空制御チャンバ１０４の底部には、例えばシリコン製の円筒状のブロック座金１０８が（例えば接着剤によって又はその弾力性により）固設されている。このブロック座金１０８の上端面は、逆円錐形（又は縦断面が三角形）に凹部形成されているため、閉栓ボール１０６がこの陥凹部１０８Ａの底の中央に位置することができる（図２０Ａ参照）。ブロック座金１０８には、メインケーシング１０２の真空流路１０２ａと実質的に同じ直径の中央孔１０８ａが形成されている。
【００６１】
使用に際し、真空アダプタ１００は、食材が中に置かれている圧力調理器の蓋に取り付けられている安全キャップ組立体１０の圧力開放管２０の接続部２０Ａにネジ止めされる。真空制御チャンバ１０４に接続されている真空源（真空ポンプ）１１０が稼働されると、図２０Ａから見られるように、閉栓ボール１０６が真空吸引によって持ち上げられて、ブロック座金１０８の中央孔１０８ａ及びメインケーシング１０２の真空流路１０２ａを開ける。そのため、上向きの矢印によって示されるように、圧力調理器の内側の空気は、真空制御チャンバ１０４において閉栓ボール１０６が持ち上げられている状態で、メインケーシング１０２の真空流路１０２ａ及びブロック座金１０８の中央孔１０８ａを通して引き出されて、圧力調理器の内側に真空環境を作り出す。真空ポンプ１１０の動作が停止されると、持ち上げられた閉栓ボール１０６は、その持ち上げられた位置からブロック座金１０８の凹部１０８Ａへと落下して、中央孔１０８ａ及び真空流路１０２ａを閉じる（又は塞ぐ）。次いで、ツイストノブ１０４Ａは、図２０Ｂから見られるように、ツイストノブ１０４Ａの押圧突起１０４Ａａの下端が閉栓ボール１０６と接触し、このボール１０６をブロック座金１０８の凹部１０８Ａに対して押し付けるように、手動で回転させられる。ブロック座金１０８がシリコンのようなある程度の弾力性がある素材で作られているため、閉栓ボール１０６は、ブロック座金１０８の凹部１０８Ａに対して確実に押し付けられ、メインケーシング１０２の真空流路１０２ａをしっかりと密封する。結果として、ステンレス鋼ボール１０６が圧力開放管２０の圧力開放流路２０ａを閉塞するため、鍋の内側が真空に保たれる。
【００６２】
真空は、圧力調理器の内側の温度を下げ、食材の内側の水分を飛ばす。従って、圧力調理器に置かれた食材に対して凍結／乾燥真空調理を実行することが可能である。加えて、例えば底部がＳＳ４３０ステンレス鋼クラッド金属製である圧力調理器が使用されるとき、その鍋を加熱することにより、鍋、特に底部、は、遠赤外線を放出し、鍋内の食材に放射されるようにこの放出された遠赤外線を利用する真空調理は、真空環境下で達成される。ＳＳ４３０ステンレス鋼クラッド金属の底部を有する圧力調理器の場合、誘導加熱が実現可能であり、遠赤外線を利用した食材のための真空加熱調理、これは凍結／乾燥真空調理とは異なる調理プロセスである、が可能となる。
【００６３】
上で説明した構造では、安全キャップ組立体のキャップ固定ナット３０（１６０）は、円錐台形状であるが、それは、曲面を有するドーム型、複数の平らな円周面を有する円錐ピラミッド形状、等を含む任意の他の形状をとることができるため、キャップ固定ナットを受ける環状取付ナットは、曲面、円錐ピラミッド形状、等の対応する形状を有する。
【００６４】
上記から見られるように、本発明の安全キャップ組立体は、組み立てられた圧力開放管と、キャップ固定ナットと、安全キャップユニットとによって形成された単体であり、安全キャップユニットの支持ブリッジ又は支持ブリッジの少なくとも中央部は、メッシュケーシングの外側にある。従って、圧力開放流路の下端開口部からメッシュケーシングの任意の点までの距離は様々であり、食物片は、このメッシュケーシングに引っ掛かる。従って、圧力開放管の圧力開放流路の目詰まりが防がれ、圧力調理器の爆発を回避する。安全キャップ組立体は、円錐台形状のナットを取付アダプタの円錐台形状の受容部に位置させること、圧力制御重りを圧力開放管上に配置することと、スライド式ロックキーを引くことと、次いで圧力制御重りを圧力開放管に取り付けることとからなるステップを行うことで、圧力調理器の蓋に取り付けられる。これらのステップを全て行わない場合、圧力調理器は、圧力調理器として使用されることができず、アクシデントが防がれることができる。加えて、円錐台形状であるキャップ固定ナットにより、安全キャップ組立体は、圧力調理器の調理のための確実な密封を提供し、それに真空アダプタが取り付けられると、圧力調理器の内側に適切な真空環境が作り出されて、この圧力調理器が真空調理に使用されることを可能にする。更に、安全キャップ組立体は構造が単純であるため、容易に洗浄されることができ、圧力調理器の安全かつ衛生的な使用を確実にする。加えて、安全キャップ組立体は構造が単純であり、容易に圧力調理器の蓋に取り付けられること及びそれから取り外されることができるため、それらは、任意の所望のサイズで設計されることができ、スープ鍋のような大型の調理鍋でも使用されることができる。
【図１Ａ】
2018192265.tif 000003
【図１Ｂ】
2018192265.tif 000004
【図２】
2018192265.tif 000005
【図３】
2018192265.tif 000006
【図４】
2018192265.tif 000007
【図５】
2018192265.tif 000008
【図６】
2018192265.tif 000009
【図７】
2018192265.tif 000010
【図８Ａ】
2018192265.tif 000011
【図８Ｂ】
2018192265.tif 000012
【図９】
2018192265.tif 000013
【図９Ａ】
2018192265.tif 000014
【図１０】
2018192265.tif 000015
【図１１】
2018192265.tif 000016
【図１２Ａ】
2018192265.tif 000017
【図１２Ｂ】
2018192265.tif 000018
【図１３Ａ】
2018192265.tif 000019
【図１３Ｂ】
2018192265.tif 000020
【図１４Ａ】
2018192265.tif 000021
【図１４Ｂ】
2018192265.tif 000022
【図１５】
2018192265.tif 000023
【図１６】
2018192265.tif 000024
【図１７】
2018192265.tif 000025
【図１８】
2018192265.tif 000026
【図１９】
2018192265.tif 000027
【図２０Ａ】
2018192265.tif 000028
【図２０Ｂ】
2018192265.tif 000029
【外国語明細書】
2018192265000001.pdf